(57)【要約】      （修正有）【課題】自転車などの荷かごにある盗難とかひったくり防止、落下防止のため、自転車ハンドルへの装填が簡易操作で済み、また嵩張らず、見た目にも格好がよく、自在に取付け、取外しができ、かつ、ひったくり防止、落下防止などに効果的であるひったくり防止兼用落下防止器具を提供する。【解決手段】金具本体１と、押さえ板２と、ゴム３からなり、金具本体と押さえ板は、台部８に固定されており、本体をハンドル１１に取付けて固定するにあたって、取付け部は、全体が略Ｃ字状に形成され、両端に胴部孔１０と先端孔９が設けられ、雄ネジ７を胴部孔に螺合させることによってハンドルに締め付けて固定するよう構成されている。そして、雄ネジ7によって取付け部は、円形バンド状の緊締部６の内穴５の径を調整できるようになっていて、荷物や鞄等の一部を係止することを特徴とするひったくり防止兼用落下防止器具。【選択図】図４
2005138768.tif 000002
【特許請求の範囲】
【請求項１】
自転車等のハンドル部とハンドルステー部の交差部分に取付けられて、荷物や鞄等の手提げ部分の一部を係止するひったくり防止兼用落下防止器具であって、引掛金具は、金具本体、押さえ板と、ゴム又はバネからなり、押さえ板の先端は、適度の可撓性のある材料からなり、押さえ板を押して手提げ部分等を引掛金具にひっかけることが可能であるひったくり防止兼用落下防止器具。
【請求項２】
ひったくり防止兼用落下防止器具に鞄等の手提げ部分の一部を係止するにあって、フック形状の引掛金具は、金具本体、押さえ板からなり、金具本体から押さえ板にかけてフック形状にする事で、ゴム又はバネを具備せずに鞄等の手提げ部分の一部を係止することが可能であり、押さえ板の先端は、適度の可撓性のある材料からなり、押さえ板を引いて手提げ部分等を引掛金具にひっかけることが可能であるひったくり防止兼用落下防止器具。
【請求項３】
ひったくり防止兼用落下防止器具をハンドルに取付けて固定するにあたって、取付け部は、略Ｃ字状に形成され、その円形バンド状の緊締部は、両端に胴部孔と先端孔が設けられ、胴部孔内に、その先端に形成した先端孔から胴部孔に差し込み得る雄ネジとからなり、雄ネジを胴部孔に螺合させることによってハンドルに締め付けて固定するよう構成されていて、雄ネジによって取付け部は、円形バンド状の緊締部の内穴の径を調整可能である請求項１、又は請求項２記載のひったくり防止兼用落下防止器具。
（１）
【発明の詳細な説明】
【技術分野】
【０００１】
本発明は、自転車のハンドルとハンドルステーの交差部分に取付けられて、荷物や鞄等の手提部分を係止する役割とを持つ引掛金具本体を設けたことを特徴とするひったくり防止兼用落下防止器具に関するものである。
【背景技術】
【０００２】
従来より、自転車などの前かごにある盗難とかひったくり防止のため、従来から種々の盗難対策がなされており、例えばゴム紐を被せるとか、荷かごに蓋をする対策がなされているが、いずれも完全に防犯になっていない。ゴム紐の場合、掛け渡しが面倒でかつ時間を要し、不必要の時の保管に困り、荷かごに蓋板などで覆うことも試してみられるが、容積が大きく、不使用時の置き場所に困りひったくりに対して万全でないなどの難点を有するため、ひったくり防止具を設置しないで、単にそのままかばんやポーチ、買い物袋を荷かごに入れている現状である。
【特許文献１】特開平０９−１２３９６４号公報
【発明の開示】
【発明が解決しようとする課題】
【０００３】
そのために、次のような問題点があった。
ゴム紐の場合、地味な色合いの物が多くまた、縛り付けたり取り外したりするのが面倒である。
ネットの場合、掛け渡しが面倒で時間を有し使わない時の保管に困る。
本発明は、以上の問題点を解決するためになされたものである。装填が簡易操作で済み、また嵩張らず、見た目にも格好がよく、ハンドルの太さの違い如何にかかわらず、自在に取付けや取外しができ、またひったくろうとしている人のひったくり意欲を未然に抑制させることにより、ひったくりにあいにくくするひったくり防止兼用落下防止器具を提供することにある。
【課題を解決するための手段】
【０００４】
すなわち本発明は、
自転車等のハンドル部１１とハンドルステー部１４の交差部分に取付けられて、荷物の一部を係止するひったくり防止兼用落下防止器具であって、引掛金具Ａとこれを支持しハンドル１１に固定する取付け部Ｂから構成される。
引掛金具Ａは、金具本体１と、押さえ板２と、ゴム３からなり、金具本体１と押さえ板２は、台部８に固定されており、ゴム３の代わりにバネ（図示せず）を用いることもできる。また押さえ板２の先端は、適度の可撓性のある材料からなり、押さえ板２を押して手提げ部分の一部を金具本体１にひっかけることが可能である。ゴム３やバネ（図示せず）を具備しない場合、金具本体１から押さえ板２にかけて引掛金具Ａをフック形状にすることで、荷物や鞄等の手提げ部分の一部を係止させることが可能である。この場合も、押さえ板２の先端は、適度の可撓性のある材料からなり、押さえ板２を引いて手提げ部分の一部を金具本体１にひっかける。
（２）
本発明のひったくり防止兼用落下防止器具をハンドル１１に取付けて固定するにあたって、取付け部Ｂは、全体が略Ｃ字状に形成され、その円形バンド状の緊締部６は、両端に胴部孔１０と先端孔９が設けられ、胴部孔１０内にその先端に形成した先端孔９から胴部孔１０に差し込み得る従来公知の雄ネジ７とからなり、雄ネジ７を胴部孔１０に螺合させることによってハンドルに締め付けて固定するよう構成されていて、雄ネジ７によって取付け部Ｂは、円形バンド状の緊締部６の内穴５の径を調整できるようになっている。
【発明の効果】
【０００５】
この発明に係る自転車等の荷かご１３にある荷物などの盗難とかひったくり防止、落下防止のため、本発明のひったくり防止兼用落下防止器具は、後方からのひったくりに際し、金具本体１が荷物や鞄等１２の一部を係止の役割をしているので、荷かご１３から荷物を取出すことは、金具本体１が荷物や鞄等１２の一部を係止している以上ひったくりは困難で、高い防犯効果を有すると共に、ひったくり意欲を抑制させて、ひったくりを未然に防止することができる。
【発明を実施するための最良の形態】
【０００６】
以下、本発明の実施の形態について説明する。
本発明は引掛金具Ａと本体を自転車等のハンドル１１に固定する取付け部Ｂからなる。
図１は、本発明の引掛金具Ａの部分の部分斜視図である。金具本体１は、合成樹脂又は、アルミ製であり、金具本体１と、押さえ板２と球形状又は四角形状のゴム３からなり、金具本体１と押さえ板２は、台部８に固定される。なおゴム３の代わりにバネ（図示せず）を用いることもできる。押さえ板２の先端は、適度の可撓性の材料からなり、押さえ板２を押すことにより開口部４が開いて、手提げ部分などを引掛金具Ａに引掛けることが可能となる。
図２は、本発明の取付け部Ｂの部分の部分側面図である。本発明は取付け部Ｂを備えており、この取付け部Ｂによって自転車のハンドル１１に取付けられるようになっている。上記取付け部Ｂは、全体が略Ｃ字状に形成され、合成樹脂又はアルミ製よりなり、両端に胴部孔１０と先端孔９が設けられ、雄ネジ７が先端孔９に延長線上に沿って挿通されて胴部孔１０に螺合され、雄ネジ７を上記取付け部Ｂに螺合させて締め付けることにより、自転車等のハンドル１１に固定される。また雄ネジ７によって、取付け部Ｂの内穴５の径が調整できるようになっている。そして自転車のハンドル１１を囲繞してこれに連結される取付け部Ｂと図１の引掛金具Ａは台部８に固定されている。
【実施例】
【０００７】
本発明の実施例にいて説明する。
図５は、本発明の一実施形態に係るひったくり防止兼用落下防止器具の使用状態の他の一例を示す斜視図である。図１の球形状又は四角形状のゴム３やバネ（図示せず）を具備しない場合、金具本体１から押さえ板２までをフック形状にした引掛金具Ａを設ける。フック形状の引掛金具Ａは、合成樹脂又はアルミ製であり、金具本体１と、押さえ板２からなり、フック形状にした引掛金具Ａの金具本体１と押さえ板２は、台部８に固定される。押さえ板２の先端は適度の可撓性の材料からなり、押さえ板２を引くことにより開口部４が開いて、荷物や鞄等１２の手提げ部分の一部を引掛金具Ａに引掛ける事が可
（３）
能となる。
本発明は以上のような構成からなるので、本発明を使用する時は、取付け部Ｂを自転車等のハンドル１１に囲繞して、これに連結させる。本発明は、引掛金具Ａを地面とほぼ水平にしたり、好みによって角度を自由に決められて、雄ネジ７を上記取付け部Ｂ自転車等のハンドル１１に螺合させて締め付けて固定する。引掛金具Ａに、荷物についている紐をひっかけている状態なので、ひったくりに際し荷かご１３から荷物を取出すことは困難で高い防犯効果を有する事になる。同様に、自転車で走行中、振動などにより、荷物が荷かご１３から落下したりする事を防止する効果もある。
【図面の簡単な説明】
【０００８】
【図１】本発明の引掛金具Ａの部分の部分斜視図である。
【図２】本発明の取付け部Ｂの部分の部分斜視図である。
【図３】本発明の斜視図である。
【図４】本発明の使用状態を示す斜視図である。
【図５】本発明の一実施形態に係るひったくり防止兼用落下防止器具の使用状態の他の一例を示す斜視図である。
【符号の説明】
【０００９】
１  金具本体
２  押さえ板
３  ゴム
４  開口部
５  内穴
６  緊締部
７  雄ネジ
８  台部
９  先端孔
１０  胴部孔
１１  ハンドル
１２  鞄
１３  荷かご
１４  ハンドルステー
Ａ  引掛金具
Ｂ  取付け部
【図１】
2005138768.tif 000003
【図２】
2005138768.tif 000004
【図３】
2005138768.tif 000005
【図４】
2005138768.tif 000006
【図５】
2005138768.tif 000007